(57)【要約】【課題】  法面に容易に現場施工できる打設コンクリートアンカーによる法面保護構造を提供する。【解決手段】  法面１に被覆ネット２を張設した上に、ワイヤー３を格子状に配置し、その交差部を結束具４で連結して該ワイヤー３の随所をアンカー５で法面１に固定する。  そして、前記ワイヤー３の全箇所又は適宜箇所の交差部の周域を縦壁面で囲った囲い枠７を設け、該囲い枠７内に鉄筋８を配設し、該囲い枠７内の中心に長尺アンカー９を頭出し状態で深く打ち込み、該長尺アンカー９の頭部に受圧アンカー１０を固定し、前記囲い枠７内のワイヤー３、被覆ネット２、鉄筋８、長尺アンカー９及び受圧アンカー１９の全部をコンクリートに埋め込む。【選択図】    図６
2005307450.tif 000002
【特許請求の範囲】
【請求項１】
法面に被覆ネットを張設した上にワイヤーを格子状に配置し、その交差部を結束具で連結して該ワイヤーの随所をアンカーで法面に固定し、前記ワイヤーの全箇所又は適宜箇所の交差部の周域を縦壁面で囲った囲い枠を設け、該囲い枠内に鉄筋を配設し、該囲い枠内の中心に長尺アンカーを頭出し状態で深く打ち込み、該長尺アンカーの頭部に受圧アンカーを固定し、前記囲い枠内のワイヤー、被覆ネット、鉄筋、長尺アンカー及び受圧アンカーの全部又は下面部をコンクリートに埋め込んで成る打設コンクリートアンカーによる法面保護構造。
【請求項２】
法面に被覆ネットを張設した上にワイヤーを格子状に配置し、その交差部を結束具で連結して該ワイヤーの随所をアンカーで法面に固定し、前記ワイヤーの全箇所又は適宜箇所の交差部の周域を縦壁面で囲った囲い枠を設け、該囲い枠内に鉄筋を配設し、該囲い枠内の中心に、頭部にはネジ部を有し軸部には接着剤注入路を有する長尺アンカーを法面に設けた穿鑿孔に前記ネジ部の少なくとも一部が囲い枠内の空間から頭出し状態となるように打ち込み、前記長尺アンカーの法面に露出した部分に樹脂パイプを被せ、前記囲い枠内のワイヤー、被覆ネット、鉄筋及び樹脂パイプをコンクリートで埋め込み、前記長尺アンカーを差し込んだ穿鑿孔内と樹脂パイプ内の隙間に前記接着剤注入路から接着剤を前記ネジ部が露出するように充填し、コンクリートを押さ付けるように前記長尺アンカーのネジ部に受圧アンカーをボルト固定して成る打設コンクリートアンカーによる法面保護構造。
【請求項３】
長尺アンカーのネジ部及びボルトの露出部分に防錆剤の塗布又は防錆キャップの被着による防錆処理を施して成る請求項１又は２に記載の打設コンクリートアンカーによる法面保護構造。
【発明の詳細な説明】
【技術分野】
【０００１】
本発明は、道路工事やダム工事などにおいて、削り取った傾斜面（法面）が雨水などにより崩壊し、またその表面からの落石などが発生するのを防止するために行う法面の保護構造において、特にワイヤーを用いた構造に関する。
【背景技術】
【０００２】
従来、法面の崩壊を防止し保護するための各種コンクリート製の法枠構造が実施されている。
そして、特に崩壊しやすい場所や、急傾斜面においては、長くて強い鋼製の永久アンカーを法面内部の深くまで打ち込んで、施工されたコンクリート法枠が法面から離れるのを防止できるようにする構造が採られることがあり、この構造では、コンクリート法枠が前記永久アンカーの頭部から抜けて外れるのを防ぐために、厚さ５０ｃｍで横幅３〜５ｍ程度の大きく幅広なコンクリート製の支持板（アンカー工基礎台と呼ばれている）を工場などで作って、現場に運搬し、コンクリート法枠に打ち込まれた永久アンカーの頭部に重しとして固定する方法が行われている。
【０００３】
そして、その支持板は、約３００〜５００Ｋｇ程と極めて重く、作業員の人力では所定の位置にまで移動させることができない。このためにクレーン車などの重機により施工する場所に運んで吊ったままの状態で作業員により所定位置に移動して永久アンカーの頭部に設置固定されている。
この方法では、その支持板があまり重いために現場作業は大変に困難であり、また施工する現場の状態によっては、クレーン車などの吊り下げ運搬重機が入れないところもあり、そのような場所の施工はできない場合があった。
このような構造では、作業の困難性と重機の使用などにより、工事費用が大きくならざるを得なかった。
【０００４】
また、そのような作業性の悪さを改善するために、大重量の支持板に替えて比較的軽い鋼製などから成る支圧板を永久アンカーの頭部に固定する構造（特許文献１を参照）が提案された。
しかし、その支圧板は法面に対して直に密接状態とした構造であるために、前記永久アンカーの頭部からその支圧板が抜け落ちることなく法面を抑えることはできるが、コンクリート法枠そのもの全体を永久アンカーで抑える働きが弱く、構造的に永久アンカーの支持力がコンクリート法枠に対して充分に生かされているものとはなっていなかった。
【０００５】
そこで、本発明者は、先に特許文献２の構造を提案した。
この構造は、コンクリートを打設した永久アンカーが法面に強固に付着固定されているので抜ける虞がなく、且つ、法枠が法面から浮き上がろうとすると、法枠部分の永久アンカーの頭部に固定された圧受け金属板がナットでアンカー鉄筋囲い枠部分を上からその法枠上面に掛かってくる圧力を受け止めることによって、その永久アンカー周囲の法枠部分の法枠鉄筋を押さえ付けて、法枠が法面から浮き上がらないようになっていた。
また施工において、これまでのような重量物を吊り下げ運搬する重機などを使用することなく、作業員がアンカー鉄筋囲い枠付きのアンカー鉄筋などの必要な現場資材を施工場所まで自力で搬入することが容易にできるので、重機の入らない急傾斜地などでも極めて容易に施工できるようになり、またコンクリートの打設と同時的にアンカー部分の施工もできるので、トータルコストの削減と施工期間の短縮にも役立つものであった。
しかし、本発明者は、その構造では、アンカー鉄筋囲い枠部分の施工に多くの手間と時間を費やしていることに着眼し、この部分の改良でさらに高い作業能率が得られる構造を作業現場で工夫してきた。
また、その構造は、崩壊が防止などの法面の保護は充分できても、工事完了後の法枠部分が法面上に不自然に目立ち、自然景観上は好ましいものではなかった。
【特許文献１】特開平６−１０１２３５号
【特許文献２】特願２００１−１１３６４８
【発明の開示】
【発明が解決しようとする課題】
【０００６】
上記実情に鑑みてなされたもので、法面において、重量アンカーをコンクリート現場打ちにすることで作業員による施工資材の搬入を重機がなくてもできるようにし、且つ現場打ちで形成されるコンクリートアンカーが法面保護のための被覆材を法面に対して浮くことなく強力に押さえ着けできるようにして法面保護機能を高め、また施工にかかる材料費と手間と時間を削減し、さらに高度な技術がなくても優れた作業能率を得ることが可能なで、しかも周囲からあまり目立つことのない自然景観上好ましい法面保護構造を提供することが本発明の課題である。
【課題を解決するための手段】
【０００７】
上記課題を解決するために、本発明の打設コンクリートアンカーによる法面保護構造は、    法面に被覆ネットを張設した上にワイヤーを格子状に配置し、その交差部を結束具で連結して該ワイヤーの随所をアンカーで法面に固定する。
そして、前記ワイヤーの全箇所又は適宜箇所の交差部の周域を縦壁面で囲った囲い枠を設け、該囲い枠内に鉄筋を配設する。
さらに、該囲い枠内の中心に長尺アンカーを頭出し状態で深く打ち込み、該長尺アンカーの頭部に受圧アンカーを固定し、前記囲い枠内のワイヤー、被覆ネット、鉄筋、長尺アンカー及び受圧アンカーの全部又は下面部をコンクリートに埋め込んで構成する。
【０００８】
請求項２に記載の発明は、法面に被覆ネットを張設した上にワイヤーを格子状に配置し、その交差部を結束具で連結して該ワイヤーの随所をアンカーで法面に固定する。
そして、前記ワイヤーの全箇所又は適宜箇所の交差部の周域を縦壁面で囲った囲い枠を設け、該囲い枠内に鉄筋を配設する。
そして、該囲い枠内の中心に、頭部にはネジ部を有し軸部には接着剤注入路を有する長尺アンカーを法面に設けた穿鑿孔に前記ネジ部の少なくとも一部が囲い枠内の空間から頭出し状態となるように打ち込み、前記長尺アンカーの法面に露出した部分に樹脂パイプを被せ、前記囲い枠内のワイヤー、被覆ネット、鉄筋及び樹脂パイプをコンクリートで埋め込む。
さらに、前記長尺アンカーを差し込んだ穿鑿孔内と樹脂パイプ内の隙間に前記接着剤注入路から接着剤を前記ネジ部が露出するように充填し、コンクリートを押さ付けるように前記長尺アンカーのネジ部に受圧アンカーをボルト固定して構成したものである。
【０００９】
請求項３に記載の発明は、上記構成において、前記長尺アンカーのネジ部及びボルトの露出部分に防錆剤の塗布又は防錆キャップの被着による防錆処理を施したものである。
【発明の効果】
【００１０】
本発明は以上のようであり、コンクリートアンカー内に埋め込まれたワイヤーと被覆ネットがコンクリートアンカー内に埋め込まれて強く固着され、且つ、コンクリートアンカーにかってくる法面からの強い圧力を、その法面に打ち込まれ固定された長尺アンカーに固定された受圧アンカーが確実に受け止めることができるので、前記長尺アンカーが法面から抜けない限り、ワイヤーと被覆ネットは法面から浮き上がることがない。
その際に、長尺アンカーと法面地中及びコンクリートとの隙間に接着剤を充填した形態の場合では、コンクリートアンカーが長尺アンカーで法面に接着剤で強固に付着固定されるので抜けるおそれがなくなる。
そして、受圧アンカーをコンクリートアンカー内に埋め込む形態では、受圧アンカー部分が周囲のコンクリートにより護られて腐食が防止され、長期間にわたって強い圧力を受ける受圧アンカーが長尺アンカーから脱落してしまうおそれがなくなる。
また、長尺アンカーのネジ部とナットなどを露出させた形態では、その部分を防錆剤の塗布又は防錆キャップの被着による防錆処理を施すことで腐食による長尺アンカーからの脱落しが防止できる。
【００１１】
さらに、施工においては、これまでのような重量物を吊り下げ運搬する重機などを使用することなく、作業員は鉄筋などの重量物は使わずに囲い枠やワイヤーなどの必要な現場資材を施工場所まで自力で搬入することができるので、重機の入らない急傾斜地などでも容易に施工できるようになった。
また、ワイヤーを張って囲い枠へコンクリートを打設してワイヤーを固定するものなので、資材費や施工費の削減と施工期間の短縮にも大きく役立ち、さらに型枠を組むなどの高度な技術は必要ないので普通の人でも高能率で作業することが可能となった。
【００１２】
さらに、施工後の法面にはコンクリートアンカー部分のみ僅かに点々と表面に現れるが、これまで目立つていた縦横のコンクリート枠は本発明ではないので、周囲に雑草や木が育てば隠れてしまい、周囲からあまり目立つことがなく自然景観内にさほど違和感がなく溶け込ませることができるようになった。
【発明を実施するための最良の形態】
【００１３】
本発明の打設コンクリートアンカーによる法面保護構造の形態を以下詳しく説明する。
この構造は法面における施工現場において、図１に示すように、傾斜した法面１上に被覆ネット２をアンカー５で固定しつつ張設する。
そして、その上にワイヤー３を一定間隔置きに格子状に配置してその交差部を専用金具や針金などの結束具４で連結する。この図１ではワイヤー３を縦横直行する格子状に形成する形態を示しているが、各ワイヤー３間は正確な間隔ではなくても良い。
そのワイヤー３の両端部と中間部に間隔置きに任意に選んだ部位にアンカー５を打って法面１に固定する。
そして、その固定されたワイヤー３の交差部の一つ置きに、前記被覆ネット２及びアンカー５を長期間にわたり強固に固定できるようにするために重量の大きいコンクリートアンカー６を設置する。
【００１４】
このコンクリートアンカー６は次のように構成する。
まず、図２に示すように、前記ワイヤー３の交差部の周域を縦壁面７ａで囲った円筒状の囲い枠７を設ける。
前記囲い枠７の材質は、金網製、樹脂製、木製、紙製などが使用可能でき、その形は各種の形状にすることが可能であり、またその形状は、現場の使用方法に合わせて、上記円筒状の囲い枠７以外にも、矩形の筒形や、それらをさらに２段重ねにしたり、また張設したワイヤー３の方向に沿って張り出し部２４を突出させた形成（図４及び図５に示す）などが可能である。
【００１５】
そして、コンクリートアンカー６の強度を強化するため、前記囲い枠７内に鉄筋８を配置して囲い枠７には鉄筋固定金具２２で囲い枠７内中間の高さに固定し、前記ワイヤー３に対しては針金などで固定する。
その鉄筋８の形状は、前記囲い枠７の形状に対応させて、真円形（図３に示す）や四角形などに形成した輪状のものなど使用する。
前記囲い枠７に張り出し部２４を突出させた図５に示す形態では、ワイヤー通し口２３を含む張り出し部２４の対面する縦壁面７ａをセパレータ２１で保持し、内部に中間高さに配した鉄筋８はセパレータ２１及びワイヤー３に対して結束線２５などで固定する。
【００１６】
そして、その囲い枠７内の中心に長尺アンカー９を頭出し状態で法面の地中に深く打ち込み、その長尺アンカー９の頭部に板状の受圧アンカー１０を固定する。
最後に、前記囲い枠７内のワイヤー３、被覆ネット２、鉄筋８、長尺アンカー９及び受圧アンカー１０の下面部をコンクリート１１に埋め込んでコンクリートアンカー６が完成する。
なお、前記受圧アンカー１０は、図６に示すように、上面部１０ａを露出させずに全部を打設したコンクリート１１内に埋め込むこともできる。
【００１７】
また、前記コンクリートアンカー６は上記形態のコンクリートアンカー６とは別に、
図７に示すように、囲い枠７内の中心に、頭部にはネジ部９ａを有し、軸部には接着剤注入路１３を有する長尺アンカー９を法面１に設けた穿鑿孔１２に前記ネジ部９ａの少なくとも一部が囲い枠７内の空間から頭出し状態となるように打ち込み、前記長尺アンカー９の法面１に露出した部分に樹脂パイプ１４を被せる。
そして、前記囲い枠７内のワイヤー３、被覆ネット２、鉄筋８及び樹脂パイプ１４をコンクリート１１の吹き付け又は流し込みによる打設により埋め込む。
さらに、前記長尺アンカー９を差し込んだ前記穿鑿孔１２内と前記樹脂パイプ１４内の隙間に前記接着剤注入路１３から浸透性の接着剤１５を前記ネジ部９ａが露出するように充填する。
【００１８】
そして、コンクリート１１が固化したら、そのコンクリート１１の上面に突出している樹脂パイプ１４の上端部分はカッターなどで切除しコンクリート１１を面一にする。
さらに、固化したコンクリート１１を押さ付けるように前記長尺アンカー９のネジ部９ａに受圧アンカー１０をナット１８で締め付け固定してコンクリートアンカー６が完成する。
【００１９】
また、上記受圧アンカー１０の長尺アンカー９のネジ部９ａへ固定方法は、ネジ部９ａに対応する雌ネジ孔１６を受圧アンカー７に設けて、受圧アンカー７が螺着する方法と、前記ネジ部９ａが挿通できる差込孔１７を受圧アンカー７に設けて前記ネジ部９ａに受圧アンカー１０を嵌め、ナット１８を螺着して締め付け固定する方法とが可能である。
【００２０】
前記長尺アンカー９のネジ部９ａ及びナット１８の露出部分には、雨水に曝されないように防錆剤１９の塗布又は防錆キャップ２０の被着による防錆処理を施すと、腐食による強度低下を防止できるので寿命を長く保つことができるので好ましい。
【産業上の利用可能性】
【００２１】
本発明は、傾斜した法面を被覆ネットとワイヤーで押さえ付け、そのワイヤーをコンクリートアンカーで強固に固定する法面の保護構造であるが、岩などの大きな塊の崩壊をふせ防ぐのに用いる場合には、被覆ネットを省略した構造であってもワイヤーの間隔を小さくすることなどで充分に目的を達せられる可能性がある。
【図面の簡単な説明】
【００２２】
【図１】ワイヤーを固定した状態の施工工程を示す平面図。
【図２】設置した囲い枠内の構造を示す平面図。
【図３】コンクリートを打設した状態を示す斜視図。
【図４】ワイヤー方向に張り出した囲い枠を示す斜視図。
【図５】コンクリート打設前の状態を示す斜視図。
【図６】受圧アンカーを埋め込んだ形態のコンクリートを除いたコンクリートアンカー部分を示す縦断側面図。
【図７】長尺アンカーを接着剤で固定する形態のコンクリートを除いたコンクリートアンカー部分を示す縦断側面図。
【符号の説明】
【００２３】
１    法面
２    被覆ネット
３    ワイヤー
４    結束具
５    アンカー
６    コンクリートアンカー
７    囲い枠
７ａ  縦壁面
８    鉄筋
９    長尺アンカー
９ａ  ネジ部
１０    受圧アンカー
１０ａ  受圧アンカーの上面
１１    コンクリート
１２    穿鑿孔
１３    接着剤注入路
１４    樹脂パイプ
１５    接着剤
１６    雌ネジ孔
１７    差込孔
１８    ナット
１９    防錆剤
２０    防錆キャップ
２１    セパレータ
２２    鉄筋固定金具
２３    ワイヤー通し口
２４    囲い枠の張り出し部
２５    結束線
【図１】
2005307450.tif 000003
【図２】
2005307450.tif 000004
【図３】
2005307450.tif 000005
【図４】
2005307450.tif 000006
【図５】
2005307450.tif 000007
【図６】
2005307450.tif 000008
【図７】
2005307450.tif 000009